(57)【要約】【課題】シフト操作を向上することが可能なシフト機構を提供すること。【解決手段】シフト機構２は、シフトレバー１０と、ストライキングロッド１１と、ストライキングアーム１２と、変位抑制部１３とを備えている。シフトレバー１０は、変速の際にセレクト方向（Ｘ方向）又はシフト方向（Ｙ方向）に操作される。ストライキングロッド１１は、シフトレバー１０のシフト方向への操作によって長手方向に移動し、シフトレバー１０のセレクト方向への操作によって長手方向を軸として回動する。ストライキングアーム１２は、シフトレバー１０とストライキングロッド１１を連結する。変位抑制部１３は、ストライキングロッド１１のセレクト方向への変位を抑制する。【選択図】図２
2015140866.tif 000002
【特許請求の範囲】
【請求項１】
変速の際にセレクト方向又はシフト方向に操作されるシフトレバーと、
前記シフトレバーの前記シフト方向への操作によって長手方向に移動し、前記シフトレバーの前記セレクト方向への操作によって前記長手方向を軸として回動するロッド状部材と、
前記シフトレバーと前記ロッド状部材を連結する連結部材と、
前記回動時における前記ロッド状部材の前記セレクト方向への変位を抑制する変位抑制部と、
を備えた、シフト機構。
【請求項２】
前記ロッド状部材を支持する複数の支持部を備え、
前記変位抑制部は、最も前記シフトレバー側に設けられている前記支持部よりも前記シフトレバー側に設けられている、請求項１に記載のシフト機構。
【請求項３】
前記変位抑制部は、
前記ロッド状部材の前記シフトレバー側の端部に設けられている、
請求項１又は２に記載のシフト機構。
【請求項４】
前記変位抑制部は、前記ロッド状部材を挟むように前記セレクト方向に配置された壁部を有し、
前記壁部と前記ロッド状部材の間には、隙間が形成されている、
請求項１〜３のいずれかに記載のシフト機構。
【請求項５】
前記変位抑制部は、
前記ロッド状部材を覆うように設けられたガイド部材を有し、
前記挟むように配置された壁部は、前記ガイド部材の対向する部分である、請求項４記載のシフト機構。
【請求項６】
前記挟むように配置された壁部は、前記シフトレバーを支持するハウジングから突出して設けられている、請求項４に記載のシフト機構。
【請求項７】
前記壁部は、前記ハウジングから下方または上方に突出して設けられている、請求項６に記載のシフト機構。
【請求項８】
前記変位抑制部は、
前記ロッド状部材から前記壁部に向かって突出した突起部を有しており、
前記隙間は、前記壁部と前記突起部の間に形成されている、
請求項４〜７のいずれかに記載のシフト機構。
【請求項９】
前記突起部は、前記回動時に、その外周から前記ロッド状部材の中心軸までの長さが同じになるように湾曲して形成されている、請求項８に記載のシフト機構。
【請求項１０】
前記壁部は、前記ロッド状部材の前記連結部材との連結部を挟むように前記セレクト方向に配置されている、請求項４〜９のいずれかに記載のシフト機構。
【請求項１１】
前記連結部は、前記ロッド状部材の前記シフトレバー側の端部である、請求項１０記載のシフト機構。
【請求項１２】
請求項１〜１１のいずれかに記載のシフト機構を備えた、変速機。
【発明の詳細な説明】
【技術分野】
【０００１】
本発明は、シフト機構及びそれを備えた変速機に関する。
【背景技術】
【０００２】
手動式の変速機には、シフトレバー及びストライキングロッドを有するシフト機構が設けられている。
このストライキングロッドは、長手方向を軸として回動可能及び軸方向に移動可能に支持されている。このストライキングロッドとシフトレバーが連結部材によって連結されている。
【０００３】
このような構造によって、シフトレバーのセレクト方向の操作によってストライキングロッドが回動し、シフト方向の操作によってストライキングロッドはその軸方向に移動する。そして、ストライキングロッドの回動及び軸方向への移動により、シンクロ機構が動作され、ギヤとシャフトの回転速度が同期し、シフトチェンジを行うことが出来る（例えば、特許文献１参照。）。
【先行技術文献】
【特許文献】
【０００４】
【特許文献１】特開平１０−２９７３００号公報（平成１０年１１月１０日公開）
【発明の概要】
【発明が解決しようとする課題】
【０００５】
しかしながら、上記従来のシフト機構では、以下に示すような問題点を有している。
すなわち、ストライキングロッドの支持位置によっては、シフトレバーのセレクト方向の操作によってストライキングロッドが撓み、ストライキングロッドのセレクト方向における位置の変位が大きくなる場合があった。このように変位が大きくなった場合、より剛性感のあるシフト操作性を要求するユーザにとって満足できないことがあった。
【０００６】
本発明の目的は、上記従来のシフト機構の課題を考慮して、シフト操作性を向上することが可能なシフト機構及びそれを備えた変速機を提供することである。
【課題を解決するための手段】
【０００７】
本発明に係るシフト機構は、シフトレバーと、ロッド状部材と、連結部材と、変位抑制部とを備えている。シフトレバーは、変速の際に操作される。ロッド状部材は、シフトレバーと連動し、シフトレバーのシフト方向への操作によって長手方向に移動可能且つシフトレバーのセレクト方向への操作によって長手方向を軸として回動可能である。連結部材は、シフトレバーとロッド状部材を連結する。変位抑制部は、ロッド状部材の回動時におけるシフトレバー側の端部のセレクト方向への変位を抑制する。
【発明の効果】
【０００８】
本発明に係るシフト機構及び変速機によれば、シフト操作性を向上することが出来る。
【図面の簡単な説明】
【０００９】
【図１】本発明の実施の形態１に係る変速機の外観構成を示す図
【図２】本発明の実施の形態１に係るシフト機構の側面図
【図３】本発明の実施の形態１に係るシフト機構の平面図
【図４】本発明の実施の形態１に係るシフト機構の正面図
【図５】図４の部分拡大図
【図６】本発明の実施の形態２に係るシフト機構の側面図
【図７】（ａ）ストライキングアーム近傍の側面図、（ｂ）図７（ａ）の正面図
【図８】本発明の実施の形態の変形例に係るシフト機構を正面から視た要部拡大図
【図９】本発明の実施の形態の変形例に係るシフト機構を正面から視た要部拡大図
【図１０】（ａ）本発明の実施の形態の変形例に係るシフト機構のストライキングアーム近傍の側面図、（ｂ）図１０（ａ）の正面図
【図１１】本発明の実施の形態の変形例に係るシフト機構の側面から視た要部拡大図
【図１２】本発明の実施の形態の変形例に係るシフト機構の側面から視た要部拡大図
【発明を実施するための形態】
【００１０】
本発明の実施の形態１に係るシフト機構を備えた変速機について、図１〜図５を用いて説明すれば以下の通りである。
（実施の形態１）
＜構成＞
［変速機１の概要］
図１は、本実施の形態に係る変速機１の外観図である。図１に示すように、変速機１は、手動変速機であって、変速時にユーザによって操作されるシフトレバー１０を有するシフト機構２と、ケース３とを備えている。
【００１１】
ケース３は、変速のための複数のギヤ並びにシャフト、ギヤとシャフトの回転速度を同期させるためのシンクロ機構及びシフト機構２の構成等を収納している。
尚、図１に示す矢印Ｙ方向（変速機１の長手方向）がシフトレバー１０のシフト方向を示し、矢印Ｘ方向（変速機１の長手方向と垂直な方向）がシフトレバー１０のセレクト方向を示している。
【００１２】
［シフト機構２の構成］
図２は、本実施の形態のシフト機構２の側面図である。図３は、本実施の形態のシフト機構２の平面図である。図４は、本実施の形態のシフト機構２の正面図である。
シフト機構２は、ユーザによってシフトレバー１０に入力された操作力をシンクロ機構に伝達し、シンクロ機構を動作させる。
【００１３】
図２に示すように、本実施の形態のシフト機構２は、シフトレバー１０と、ストライキングロッド１１と、ストライキングアーム１２と、変位抑制部１３とを備えている。
［シフトレバー１０の構成］
シフトレバー１０は変速操作を行う際にユーザにより把持されるシフトノブ１０ｃ（図１参照）を有している。図２に示すように、シフトレバー１０の下側はシフトレバーケース１４により覆われており、シフトレバー１０は、その下端部１０ａでストライキングアーム１２と連結している。シフトレバーケース１４はケース３の一部を構成している。
【００１４】
シフトレバーケース１４は、エクステンションハウジング１４１と、コントロールハウジング１４２と、シフトガイドプレート１４３とを有する。エクステンションハウジング１４１は、シフトレバー１０の下端部１０ａを覆っている。コントロールハウジング１４２は、エクステンションハウジング１４１の上部に固定されている。シフトガイドプレート１４３はコントロールハウジング１４２の上部に固定されている。
【００１５】
シフトレバー１０は、下端部１０ａの上方であってコントロールハウジング１４２内に球面部１０ｂを有している。コントロールハウジング１４２の内側には上下方向に摺動可能に樹脂ソケット１５が設けられており、球面部１０ｂは樹脂ソケット１５に形成された球面係合部１５ｂに係合している。又、樹脂ソケット１５はコントロールハウジング１４２との間に設けられたコイルスプリング１６によって上方に付勢されている。このような構成により、シフトレバー１０はコントロールハウジング１４２によって支持されている。
【００１６】
［ストライキングアーム１２の構成］
図２に示すように、ストライキングアーム１２はシフトレバー１０の下端部１０ａとストライキングロッド１１の間を連結する。ストライキングアーム１２のシフトレバー１０との連結端部１２ａには、上方に開口した接続穴１２１が形成されており、その接続穴１２１の内側には下端部支持ソケット１２２が設けられている。この下端部支持ソケット１２２には球面部が形成されており、その球面部に球状の下端部１０ａが係合している。このような構成により、シフトレバー１０の下端部１０ａはストライキングアーム１２の接続穴１２１に上下方向に摺動可能に配置されている。図２に示すようにストライキングアーム１２は下端部１０ａからストライキングロッド１１のシフトレバー１０側の端部１１ａに向かってシフト方向に延びるとともに上方に向かって延びるように形成されている。そして、ストライキングアーム１２とストライキングロッド１１は、圧入してピンなどにより互いに固定されている。
【００１７】
［ストライキングロッド１１及びその周囲の構成］
ストライキングロッド１１は、その長手方向がシフト方向（Ｙ方向）に沿って配置されており、ストライキングロッド１１のシフト方向（Ｙ方向）への延伸上にシフトレバー１０が配置されている。そして、ストライキングロッド１１はシフトレバー１０の下端部１０ａよりも上方に位置している。
【００１８】
図２に示すように、ストライキングロッド１１は、その中心軸１１ｂ方向（シフト方向、Ｙ方向）に移動可能、及び軸１１ｂを中心に回動可能に２つの支持部４１、４２によってケース３に支持されている。ストライキングロッド１１は、２つの支持部４１，４２のうちシフトレバー１０側の支持部４１よりもシフトレバー１０側に位置している端部１１ａを有している。このストライキングロッド１１の端部１１ａは、ストライキングアーム１２との連結部となっている。このため、端部１１ａは、図２及び図４に示すようにストライキングロッド１１の他の部分（断面が円形状の部分）と形状が異なっている。具体的には、例えば端部１１ａのセレクト方向の幅が他の部分よりも大きくなっている。
【００１９】
ストライキングロッド１１には、ストライキングレバー１１１が固定されている。また、ストライキングロッド１１の周囲には、ストライキングロッド１１と平行に複数本のシフトロッド１７が配置されている。シフトロッド１７のそれぞれには、ストライキングロッド１１と嵌合する嵌合部が固定されている。シフトロッド１７にはシフトフォーク１８が固定されており、このシフトフォーク１８のシフト方向（Ｙ方向）への移動によってシンクロ機構が動作する。
【００２０】
すなわち、シフトレバー１０をセレクト方向（Ｘ方向）に操作することによってストライキングロッド１１が軸１１ｂを中心にして回動し、ストライキングレバー１１１が所望のシフトロッド１７の嵌合部と嵌合する。次に、シフトレバー１０をシフト方向（Ｙ方向）へ操作することによってストライキングロッド１１がシフト方向（Ｙ方向）に移動し、所望のシフトロッド１７がシフト方向へ移動する。このシフトロッド１７の移動により、固定されているシフトフォーク１８も移動し、シンクロ機構が動作して、所望のギヤが噛み合うことにより変速が行われる。
【００２１】
［変位抑制部１３の構成］
本実施の形態の変位抑制部１３は、シフトレバー１０のセレクト方向への操作に伴うストライキングロッド１１の所定量以上の変位を抑制する。
図５は、図４の部分拡大図である。図５に示すように、本実施の形態の変位抑制部１３は、ガイドプレート３０と、突起部４０を有している。
【００２２】
［ガイドプレート３０の構成］
ガイドプレート３０は、板状の部材が曲げられて形成されており、ストライキングロッド１１の端部１１ａを上方から覆っている。図２〜図５に示すように、シフト方向（Ｙ方向）から見て、ガイドプレート３０は、下方に開いたコの字形状のガイド部３１と、セレクト方向（Ｘ方向）においてコの字形状の両端から外側に延びた２つの固定部３２とを有している。尚、図３に示すように本実施の形態では、２つ固定部３２はガイド部３１からセレクト方向（Ｘ方向）とは平行ではなく、シフトレバー１０側に傾いて形成されている。
【００２３】
一方、端部１１ａの下方のエクステンションハウジング１４１から上方に向けて２つのボス部１４４が立設している。この２つのボス部１４４は、端部１１ａを挟むようにセレクト方向（Ｘ方向）に並んで配置されている。
２つの固定部３２のそれぞれには、位置決めを行うためのノックピン３３と、ボス部１４４に固定するためのボルト取り付け穴がシフト方向に沿って設けられている。ガイドプレート３０は、固定部３２のそれぞれに設けられているノックピン３３によって位置決めが行われた後にボルト１９によってボス部１４４に取り付けられる。
【００２４】
このように端部１１ａを上方から覆うようにガイドプレート３０が設けられているため、ガイド部３１の対向する壁部３１ａがセレクト方向（Ｘ方向）において端部１１ａを挟むように配置される。
［突起部４０の構成］
突起部４０は２つ形成されており、それぞれの突起部４０は図５に示すように端部１１ａから壁部３１ａに向かって突出している。いいかえると、２つの突起部４０は端部１１ａからセレクト方向に向かってそれぞれ突出している。これら２つの突起部４０は、その外周４０ａがストライキングロッド１１の軸１１ｂから等距離（Ｌ参照）になるように湾曲して形成されている。この突起部４０は、図５に示すように略扇形状に形成されており、その形成されている角度αは、セレクト方向におけるシフトレバー１０の操作によってストライキングロッド１１が回動する角度に対応する。
【００２５】
また、図５に示すように、セレクト方向（Ｘ方向）における突起部４０と壁部３１ａの間には隙間３４が設けられている。この隙間３４の幅ｄによってストライキングロッド１１の端部１１ａの変位可能量が設定される。すなわち、隙間３４の幅分、端部１１ａはセレクト方向に変位することが可能となる。この隙間３４の幅ｄは、例えば約０．４ｍｍに設定することが出来る。
【００２６】
＜動作＞
変速操作を行う際には、シフトレバー１０のシフトノブ１０ｃがセレクト方向（Ｘ方向）に操作された後に、シフト方向（Ｙ）に操作される。シフトノブ１０ｃのセレクト方向への操作によって、シフトレバー１０は球面部１０ｂを中心にして回動し、その下端部１０ａがシフトノブ１０ｃとは反対のセレクト方向に移動する。
【００２７】
この下端部１０ａの移動により、ストライキングアーム１２の連結端部１２ａも移動する。この連結端部１２ａの移動により、ストライキングアーム１２とともにストライキングロッド１１が軸１１ｂを中心に回転する。そして、ストライキングロッド１１の回動により、ストライキングレバー１１１が回動し、上述したようにストライキングレバー１１１が所望のシフトロッド１７の嵌合部と嵌合する。
【００２８】
次に、シフトノブ１０ｃがシフト方向（Ｙ方向）へ操作されると、下端部１０ａがシフトノブ１０ｃとは反対方向に移動する。この下端部１０ａの移動により、ストライキングアーム１２及びストライキングロッド１１もシフト方向へ移動し、ストライキングレバー１１１と嵌合状態のシフトロッド１７がシフト方向へ移動する。このシフトロッド１７の移動によってシフトフォーク１８も移動し、シンクロ機構が動作し、所望のギヤへの変速が行われる。
【００２９】
ここで、シフトノブ１０ｃのセレクト方向への移動の際に連結端部１２ａがシフトノブ１０ｃとは反対方向に移動することになるが、ストライキングアーム１２との連結部であるストライキングロッド１１の端部１１ａにも連結端部１２ａと同じ方向（セレクト方向）に力が加わることになる。このため、ストライキングロッド１１の支持部４１よりもシフトレバー１０側のロッド部分１１ｎ（図２参照）が長い場合やストライキングロッド１１の剛性によっては、連結端部１２ａのセレクト方向への移動に伴ってロッド部分１１ｎがセレクト方向へ変位する場合がある。
【００３０】
しかしながら、本実施の形態では、ロッド部分１１ｎが変位する場合であっても、ロッド部分１１ｎの端部１１ａのセレクト方向への変位可能な大きさは所定量（幅ｄ）に規制されているため、ストライキングロッド１１のシフト方向への変位が所定量（端部１１ａにおいて隙間３４の幅ｄ）よりも小さくなるよう抑制することが出来る。
＜特徴＞
（１）
本実施の形態のシフト機構２は、図２に示すように、シフトレバー１０と、ストライキングロッド１１（ロッド状部材の一例）と、ストライキングアーム１２（連結部の一例）と、変位抑制部１３とを備えている。シフトレバー１０は、変速の際にセレクト方向（Ｘ方向）又はシフト方向（Ｙ方向）に操作される。ストライキングロッド１１は、シフトレバー１０のシフト方向への操作によって長手方向に移動し、シフトレバー１０のセレクト方向への操作によって長手方向を軸として回動する。ストライキングアーム１２は、シフトレバー１０とストライキングロッド１１を連結する。変位抑制部１３は、ストライキングロッド１１のロッド部分１１ｎのセレクト方向への変位を抑制する。
【００３１】
これにより、シフトレバー１０のセレクト方向への操作によってストライキングロッド１１のロッド部分１１ｎにセレクト方向への変位が生じた場合であっても、その変位を抑制することが出来る。このため、ストライキングロッド１１のみかけ上の剛性をより向上させることが出来、シフト操作性がより向上する。
又、ストライキングロッド１１の支持部４１からシフトレバー１０側のロッド部分１１ｎの長さやストライキングロッド１１の剛性に関わらず、ストライキングロッド１１のセレクト方向への所定量以上の変位を抑制することが出来る。このため、支持部４１の設置場所が限定されず、ストライキングロッド１１の材料が限定されず、設計および材料の選定の自由度が向上する。
【００３２】
（２）
本実施の形態のシフト機構２は、ストライキングロッド１１を支持する支持部４１，４２を備える。変位抑制部１３は、最もシフトレバー１０側に設けられている支持部４１よりもシフトレバー１０側に設けられている。
このような構成により、シフトレバー１０のセレクト方向の操作に伴ってロッド部分１１ｎ（ストライキングロッド１１の支持部４１よりもシフトレバー１０側の部分）がセレクト方向に移動しようとしても、変位抑制部１３によって、所定量以上の変位を抑制することが出来る。
【００３３】
（３）
本実施の形態のシフト機構２の変位抑制部１３は、ストライキングロッド１１のシフトレバー１０側の端部１０ａに設けられている。
このような構成により、シフトレバー１０のセレクト方向の操作に伴って、ロッド部分１１ｎ（ストライキングロッド１１の支持部４１よりもシフトレバー１０側の部分）がセレクト方向に移動しようとしても、変位抑制部１３が端部１０ａの変位を抑制し、ロッド状部分１１ｎの所定量以上の変位を抑制することが出来る。
【００３４】
（４）
本実施の形態のシフト機構２の変位抑制部１３は、ストライキングロッド１１を挟むようにセレクト方向（Ｘ方向）に配置された壁部３１ａ（壁部の一例）を有している。壁部３１ａとストライキングロッド１１の間には、隙間３４が形成されている。
このような構成により、シフトレバー１０のセレクト方向の操作に伴ってロッド部分１１ｎ（ストライキングロッド１１の支持部４１よりもシフトレバー１０側の部分）がセレクト方向に移動しようとしても、壁部３１ａが干渉する。このため、ストライキングロッド１１の所定量以上の変位を抑制することが出来る。
【００３５】
（５）
本実施の形態のシフト機構２の変位抑制部１３は、ストライキングロッド１１（ロッド状部材の一例）を覆うように形成されたガイドプレート３０（ガイド部材の一例）を有している。ガイドプレート３０の対向する壁部３１ａ（ガイド部材の対向する部分の一例）は、ストライキングロッド１１を挟むようにセレクト方向に配置されている。
【００３６】
これにより、ガイドプレート３０をエクステンションハウジング１４１に形成されたボス部１４４に固定するという簡易な構成で、ストライキングロッド１１の所定量以上の変位を抑制することが出来る。
（６）
本実施の形態のシフト機構２の変位抑制部１３は、ストライキングロッド１１から壁部３１ａに向けて突出した突起部４０を有している。壁部３１ａと突起部４０の間には、隙間３４が形成されている。
【００３７】
これにより、ストライキングロッド１１のロッド部分１１ｎの変位が所定量以上になった場合には、壁部３１ａに突起部４０が当接することになるためストライキングロッド１１を保護することが出来る。
（７）
本実施の形態のシフト機構２の突起部４０は、回転時に図５に示すようにその外周４０ａからストライキングロッドの軸１１ｂまでの長さが同じ（Ｌ参照）になるように湾曲して形成されている。
【００３８】
これにより、ストライキングロッド１１が回転した場合（シフトレバー１０がセレクト方向に移動している状態）であっても突起部４０から壁部３１ａまでの隙間３４を出来るだけ一定（幅ｄ）に保つことが出来る。このように、ストライキングロッド１１の回転によって突起部４０と壁部３１ａの隙間３４の幅ｄが変化することを低減できるため、変位抑制の閾値（所定量ともいう）の大きさを安定して確保することが出来る。
【００３９】
（８）
本実施の形態のシフト機構２の壁部３１ａは、ストライキングロッド１１のシフトレバー１０側の端部１１ａを挟むようにセレクト方向（Ｘ方向）に配置されている。
これにより、シフトレバー１０のセレクト方向への操作によって変位量が最も大きくなる端部１１ａの変位を抑えることが可能となる。このため、効果的にストライキングロッド１１の変位の抑制を行うことが出来る。
【００４０】
又、端部１１ａよりも支持部４１側の位置に壁部３１ａを設ける場合と比べて、端部１１ａの周囲に壁部３１ａを設けた方が隙間３４の幅ｄを大きくすることが出来るため設計を行い易い。
（９）
本実施の形態のストライキングロッド１１の端部１１ａは、ストライキングアーム１２との連結部である。
【００４１】
これにより、最も変位が大きくなる端部１１ａの変位を抑制するとともに、シフトレバー１０のセレクト方向への操作時にストライキングレバー１１１にセレクト方向への力が加えられる連結部の所定量以上の変位も抑制することが出来る。
（実施の形態２）
本発明の実施の形態２に係るシフト機構２００を備えた変速機について図６，図７（ａ）及び図７（ｂ）を用いて説明すれば以下の通りである。尚、図７（ａ）、図７（ｂ）では、シフトレバー１０は省略されている。
【００４２】
すなわち、本実施の形態２のシフト機構２００では、変位抑制部５３及びその周辺の構造が、実施の形態１のシフト機構２の変位抑制部１３及びその周辺の構造と異なっている。尚、その他の構成については実施の形態１の構成と同様であるため、実施の形態１と同様の機能を有する構成については同じ符号を付して、その説明を省略する。
＜構成＞
［変位抑制部５３の構成］
図６は、本実施の形態のシフト機構の側面図である。図７（ａ）はストライキングアーム１２近傍の構成を示す側面図である。図７（ｂ）は、ストライキングアーム１２近傍の構成をストライキングロッド１１側から見た正面図である。
【００４３】
図６，図７（ａ）及び図７（ｂ）に示すように、本実施の形態２では、実施の形態１の変位抑制部１３及びボス部１４４に代わり、変位抑制部５３がストライキングロッド１１の端部１１ａ及びその周囲に設けられている。
変位抑制部５３は、２つの壁部６０と、突起部４０とを備えている。突起部４０は実施の形態１と同様の構成である。図７に示すように、壁部６０は２つ設けられており、コントロールハウジング１４２から下方に向かって突出するように形成されている。この２つの壁部６０は、セレクト方向（Ｘ方向）に端部１１ａを挟んで対向して配置されている。そして、突起部４０と壁部６０の間に実施の形態１と同様に幅ｄの隙間３４が形成されている。
【００４４】
本実施の形態の変速機のシフト機構２００では、上記のような構成により基本的に上述した実施の形態１によって得られる作用・効果と同等の効果を得ることが出来る。
以下では、上記実施の形態１の構成によって得られる作用・効果とは異なる作用・効果についてのみ説明する。
＜特徴＞
（１）
本実施の形態のシフト機構２００では、図６，図７（ａ）及び図７（ｂ）に示すようにストライキングロッド１１を挟むようにセレクト方向に配置された壁部６０は、シフトレバー１０を支持するコントロールハウジング１４２（ハウジングの一例）から下方に突出して設けられている。
【００４５】
これにより、シフトレバー１０のセレクト方向の操作に伴ってストライキングロッド１１のロッド部分１１ｎが移動しようとしても所定量以上変位すると壁部６０に干渉するため、ストライキングロッド１１の変位を抑制することが出来る。
又、壁部６０をコントロールハウジング１４２と別部材として作製することも出来るが、コントロールハウジング１４２と一体の部材として作成した場合には部品点数を少なくすることが出来る。
【００４６】
［他の実施形態］
以上、本発明の一実施の形態について説明したが、本発明は上記実施の形態に限定されるものではなく、発明の要旨を逸脱しない範囲で種々の変更が可能である。
（Ａ）
上記実施の形態１では、ガイドプレート３０のガイド部３１は断面視コの字形状に形成されているが、コの字形状に限られるものではない。例えば、図８に示すような断面視が円形状のガイド部３１０を有するガイドプレート３００であってもよい。この場合、ガイド部３１０のセレクト方向における端部１１ａの両側に配置される部分３１０ａ（壁部の一例）によって、端部１１ａの所定量以上の変位が抑制される。
【００４７】
（Ｂ）
又、上記実施の形態１では、ボス部１４４が、端部１１ａの下方のエクステンションハウジング１４１から上方に向かって突出しているが、これに限られるものではない。例えば、ボス部１４４がエクステンションハウジング１４１の内側面から突出していてもよいし、コントロールハウジング１４２から下方に向かって突出するように設けられていても良い。要するに、ガイド部３１の対向する壁部３１ａが、端部１１ａを挟むようにセレクト方向に配置されるようにガイドプレート３０を固定出来さえすればよい。
【００４８】
（Ｃ）
又、上記実施の形態１では、図３の平面図に示すように、２つ固定部３２はガイド部３１からセレクト方向（Ｘ方向）とは平行ではなく、シフトレバー１０側に傾いて斜めに形成されているが、これに限らず、ボス部１４４の形成される位置によっては、固定部３２はガイド部３１からセレクト方向と平行に形成されていても良い。固定部３２の形状及び位置は、ボス部１４４が形成される位置によって適宜変更することが出来る。
【００４９】
（Ｄ）
又、上記実施の形態１では、対向する２つの壁部３１ａは、ガイドプレート３０（ガイド部材の一例）として１つの部材で形成されているが、別々の部材で形成されていても良い。例えば、図９に示すように２つの断面視Ｌ字型のプレート部材３０１（ガイド部材の一例）が設けられていても良い。それぞれのプレート部材３０１には固定部３２が設けられており、ボス部１４４に固定されている。これらのプレート部材３０１は、固定部３２の端部１１ａ側の端から上方に向かって形成された壁部３１１を有しており、この壁部３１１によって端部１１ａの所定量以上の変位が規制される。
【００５０】
（Ｅ）
又、上記実施の形態２では、図７（ａ）及び図７（ｂ）に示すように壁部６０は、端部１１ａの上方のコントロールハウジング１４２の部分から下方に向かって突出するように形成されているが、図１０に示す壁部６０´のように、端部１１ａの下方のエクステンションハウジング１４１の部分から上方に向かって突出するように形成されていてもよい。
【００５１】
又、壁部６０は、エクステンションハウジング１４１の側方の壁からシフト方向に突出するように形成することも出来る。
（Ｆ）
又、上記実施の形態では、壁部３１ａ及び壁部６０が、セレクト方向（Ｘ方向）において端部１１ａを挟むように配置しているが、端部１１ａに限らなくてもよい。図１１に示すように、支持部４１と端部１１ａの間にガイドプレート３０が設けられていてもよく、シフトレバー１０側であれば、どの位置であってもよい。尚、実施の形態１のガイドプレート３０に限らず、実施の形態２の壁部６０が設けられていてもよい。
【００５２】
（Ｇ）
又、上記実施の形態では、端部１１ａがストライキングアーム１２との連結部となっているが、図１２に示すように、ストライキングアーム１２との連結部１１ｃは、端部１１ａと支持部４１の間に設けられていてもよい。更に図１１に示すように端部１１ａと支持部４１の間に設けられた連結部１１ｃを覆うようにガイドプレート３０が設けられていても良い。尚、実施の形態１のガイドプレート３０に限らず、実施の形態２の壁部６０が設けられていてもよい。
【００５３】
（Ｈ）
又、上記実施の形態では、突起部４０は、その外周４０ａからストライキングロッド１１の軸１１ｂまでの長さＬが同じになるように湾曲して形成されているが、同じ長さに形成されていなくてもよく、湾曲していなくてもよい。湾曲していない場合、上述したような隙間３４の幅の変化を低減する効果は得られないが、従来と比較して変位量を抑制することは出来る。
【００５４】
（Ｉ）
更に、突起部４０が設けられていなくてもよい。突起部４０が設けられていない場合であっても、ストライキングロッド１１から壁部３１ａ，６０までの間に所定の幅の隙間を形成することでストライキングロッド１１の所定量以上の変位を規制することが出来、変位を抑制することが可能となる。又、ストライキングロッド１１の壁部３１ａ，６０と対向する部分が円形状の場合には、隙間３４の幅の変化を低減する効果も得られる。
【産業上の利用可能性】
【００５５】
本発明のシフト機構によれば、シフト操作性を向上することが可能な効果を有し、変速機などに適用することが出来る。
【符号の説明】
【００５６】
１  変速機
２  シフト機構
３  ケース
１０  シフトレバー
１０ａ  下端部
１０ｂ  球面部
１０ｃ  シフトノブ
１１  ストライキングロッド（ロッド状部材の一例）
１１ａ  端部（軸部の一例、連結部の一例）
１１ｂ  軸
１２  ストライキングアーム（連結部材の一例）
１２ａ  接続端部（接続部の一例）
１３  変位抑制部
１４  シフトレバーケース
１５  樹脂ソケット
１６  コイルスプリング
１７  シフトロッド
１８  シフトフォーク
１９  ボルト
３０  ガイドプレート
３１  ガイド部
３１ａ  壁部
３２  固定部
３３  ノックピン
４０  突起部
４１，４２  支持部
５３  変位抑制部
６０  壁部
１１１  ストライキングレバー
１２１  接続穴
１２２  下端部支持ソケット
１４１  エクステンションハウジング
１４２  コントロールハウジング（シフトレバーを支持するハウジングの一例）
１４３  シフトガイドプレート
１４４  ボス部
２００  シフト機構
【図１】
2015140866.tif 000003
【図２】
2015140866.tif 000004
【図３】
2015140866.tif 000005
【図４】
2015140866.tif 000006
【図５】
2015140866.tif 000007
【図６】
2015140866.tif 000008
【図７】
2015140866.tif 000009
【図８】
2015140866.tif 000010
【図９】
2015140866.tif 000011
【図１０】
2015140866.tif 000012
【図１１】
2015140866.tif 000013
【図１２】
2015140866.tif 000014